【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
媒体アクセス制御（ＭＡＣ）層が複数のトランスポートチャネル経由で物理層にデータを通信するように、前記物理層および前記ＭＡＣ層においてデータを処理するよう構成されたプロセッサであって、１本の転送チャネルが、
専用トラフィックチャネル（ＤＴＣＨ）および専用制御チャネル（ＤＣＣＨ）のうちの少なくとも１つと、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）、および共通トラフィックチャネル（ＣＴＣＨ）のうちの少なくとも１つと
を含む１セットの論理チャネルと関連づけられた時分割複信（ＴＤＤ）順方向アクセスチャネル（ＦＡＣＨ）であり、
別の転送チャネルが、
専用トラフィックチャネル（ＤＴＣＨ）および専用制御チャネル（ＤＣＣＨ）のうちの少なくとも１つと、
共用チャネル制御チャネル（ＳＨＣＣＨ）および共通制御チャネル（ＣＣＣＨ）のうちの少なくとも１つと
を含む１セットの論理チャネルに関連づけられたＴＤＤランダムアクセスチャネル（ＲＡＣＨ）であるプロセッサと、
Ｎ（Ｎは３より大きい選択された整数）によって均等に分割可能なビットサイズを有するデータユニットにおいて、前記ＦＡＣＨおよび前記ＲＡＣＨについての論理チャネルデータを処理するように構成された前記プロセッサと、
ＭｆモジュロＮ（Ｍｆは０より大きくＮ未満の整数である）に等しい選択されたビットサイズを有するＦＡＣＨ  ＭＡＣヘッダで、前記ＦＡＣＨに関連付けられた前記１セットの論理チャネル内の各論理チャネルを処理するよう構成された前記プロセッサと、
ＭｒモジュロＮ（Ｍｒは０より大きくＮ未満の整数である）に等しい選択されたビットサイズを有するＲＡＣＨ  ＭＡＣヘッダで、前記ＲＡＣＨに関連付けられた前記１セットの論理チャネル内の各論理チャネルを処理するよう構成された前記プロセッサと、
前記ＦＡＣＨについてのＦＡＣＨ  ＭＡＣヘッダおよび論理チャネルを含むデータの各転送ブロックが、有限数の転送ブロック（ＴＢ）ビットサイズ（転送ブロックビットサイズはモジュロＮの大きさと等しい）を有すように、データの転送ブロックとして、前記ＭＡＣ層および前記物理層の間の前記ＦＡＣＨについて、論理チャネルデータを処理するよう構成された前記プロセッサと、
前記ＲＡＣＨについてのＲＡＣＨ  ＭＡＣヘッダおよび論理チャネルを含むデータの各転送ブロックが、有限数の転送ブロック（ＴＢ）ビットサイズ（転送ブロックビットサイズはモジュロＮの大きさと等しい）を有すように、データの転送ブロックとして、前記ＭＡＣ層および前記物理層の間の前記ＲＡＣＨについて、論理チャネルデータを処理するよう構成された前記プロセッサと
を含むことを特徴とするＣＤＭＡ通信システムのための無線送受信ユニット（ＷＴＲＵ）。
【請求項２】
前記プロセッサは、前記ＦＡＣＨに関連付けられた各論理チャネルでＦＡＣＨ  ＭＡＣヘッダを処理し、前記ＲＡＣＨに関連付けられた各論理チャネルでＲＡＣＨ  ＭＡＣヘッダを処理するよう構成され、各ＭＡＣヘッダのそれぞれは、論理チャネルデータに関連付けられた前記選択された論理チャネルの前記タイプを特定するデータについてのターゲットチャネルタイプフィールド（ＴＣＴＦ）を有していることを特徴とする請求項１に記載のＷＴＲＵ。
【請求項３】
前記プロセッサは、前記専用トラフィックチャネル（ＤＴＣＨ）および前記専用制御チャネル（ＤＣＣＨ）のＦＡＣＨ  ＭＡＣヘッダの５ビットのＴＣＴＦビットサイズ、ならびに前記共用チャネル制御チャネル（ＳＨＣＣＨ）、前記共通制御チャネル（ＣＣＣＨ）、および前記共通トラフィックチャネル（ＣＴＣＨ）のＦＡＣＨ  ＭＡＣヘッダについての３ビットのＴＣＴＦビットサイズを有するＦＡＣＨ  ＭＡＣヘッダを処理し、前記専用トラフィックチャネル（ＤＴＣＨ）および前記専用制御チャネル（ＤＣＣＨ）のＲＡＣＨ  ＭＡＣヘッダについての４ビットのＴＣＴＦビットサイズ、ならびに前記共用チャネル制御チャネル（ＳＨＣＣＨ）および前記共通制御チャネル（ＣＣＣＨ）のＲＡＣＨ  ＭＡＣヘッダについての２ビットのＴＣＴＦビットサイズを有するＲＡＣＨ  ＭＡＣヘッダを処理するよう構成されていることを特徴とする請求項２に記載のＷＴＲＵ。
【請求項４】
前記プロセッサは、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ
についてのＦＡＣＨ  ＭＡＣヘッダを処理するよう構成されていて、
前記プロセッサは、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてのＲＡＣＨ  ＭＡＣヘッダを処理するよう構成されている
ことを特徴とする請求項３に記載のＷＴＲＵ。
【請求項５】
前記プロセッサは、前記ＦＡＣＨに関連付けられた各論理チャネルで３モジュロＮビットのビットサイズを有するＦＡＣＨ  ＭＡＣヘッダを処理し、前記ＲＡＣＨに関連付けられた各論理チャネルで２モジュロＮビットのビットサイズを有するＲＡＣＨ  ＭＡＣヘッダを処理するよう構成されていることを特徴とする請求項４に記載のＷＴＲＵ。
【請求項６】
前記プロセッサは、前記ＦＡＣＨおよび前記ＲＡＣＨについての論理チャネルデータを処理する（データオクテットで構成されたデータユニットの形において、Ｎは８に等しい）よう構成されていることを特徴とする請求項５に記載のＷＴＲＵ。
【請求項７】
前記プロセッサは、前記ＦＡＣＨおよび前記ＲＡＣＨについての論理チャネルデータを処理する（データオクテットで構成されたデータユニットの形において、Ｎは８に等しい）よう構成されていることを特徴とする請求項１に記載のＷＴＲＵ。
【請求項８】
前記プロセッサは、前記ＦＡＣＨに関連付けられた各論理チャネルで３モジュロＮビットのビットサイズを有するＦＡＣＨ  ＭＡＣヘッダを処理し、前記ＲＡＣＨに関連付けられた各論理チャネルで、２モジュロＮビットのビットサイズを有するＲＡＣＨ  ＭＡＣヘッダを処理するよう構成されていることを特徴とする請求項７に記載のＷＴＲＵ。
【請求項９】
媒体アクセス制御（ＭＡＣ）層が複数のトランスポートチャネル経由で物理層にデータを通信するように、前記物理層および前記ＭＡＣ層においてデータを処理するよう構成されたプロセッサであって、１本の転送チャネルが、
専用トラフィックチャネル（ＤＴＣＨ）および専用制御チャネル（ＤＣＣＨ）のうちの少なくとも１つと、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）、および共通トラフィックチャネル（ＣＴＣＨ）のうちの少なくとも１つと
を含む１セットの論理チャネルと関連づけられた時分割複信（ＴＤＤ）順方向アクセスチャネル（ＦＡＣＨ）であり、
別の転送チャネルが、
専用トラフィックチャネル（ＤＴＣＨ）および専用制御チャネル（ＤＣＣＨ）のうちの少なくとも１つと、
共用チャネル制御チャネル（ＳＨＣＣＨ）および共通制御チャネル（ＣＣＣＨ）のうちの少なくとも１つと
を含む１セットの論理チャネルに関連づけられたＴＤＤランダムアクセスチャネル（ＲＡＣＨ）であるプロセッサと、
前記ＦＡＣＨに関連付けられた前記１セットの論理チャネル内の各論理チャネルでＦＡＣＨ  ＭＡＣヘッダを関連付けるよう構成された前記プロセッサであって、前記専用トラフィックチャネル（ＤＴＣＨ）および前記専用制御チャネル（ＤＣＣＨ）についての前記ＦＡＣＨ  ＭＡＣヘッダＴＣＦＴが５ビットのビットサイズを有し、前記共用チャネル制御チャネル（ＳＨＣＣＨ）、前記共通制御チャネル（ＣＣＣＨ）、および前記共通トラフィックチャネル（ＣＴＣＨ）についてのＦＡＣＨ  ＭＡＣヘッダＴＣＦＴが３ビットのＴＣＴＦビットサイズを有するように、各ＦＡＣＨ  ＭＡＣヘッダは、前記論理チャネルデータに関連付けられた前記選択された論理チャネルの形を特定するデータについてのターゲットチャネルタイプフィールＴＣＴＦを有する前記プロセッサと、
前記ＲＡＣＨに関連付けられた前記１セットの論理チャネル内の各論理チャネルで選択されたビットサイズを有するＲＡＣＨ  ＭＡＣヘッダを関連付けるよう構成された前記プロセッサであって、前記専用トラフィックチャネル（ＤＴＣＨ）および前記専用制御チャネル（ＤＣＣＨ）についての前記ＲＡＣＨ  ＭＡＣヘッダＴＣＦＴが４ビットのビットサイズを有し、前記共用チャネル制御チャネル（ＳＨＣＣＨ）および前記共通制御チャネル（ＣＣＣＨ）についてのＲＡＣＨ  ＭＡＣヘッダＴＣＦＴが２ビットのＴＣＴＦビットサイズを有するように、各ＲＡＣＨ  ＭＡＣヘッダは、前記論理チャネルデータに関連付けられた前記選択された論理チャネルの形を特定するデータについてのターゲットチャネルタイプフィール（ＴＣＴＦ）を有する前記プロセッサと
を含むことを特徴とするＣＤＭＡ通信システムのための無線送受信ユニット（ＷＴＲＵ）。
【請求項１０】
前記プロセッサは、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ
についてのＦＡＣＨ  ＭＡＣヘッダを関連付けるよう構成されていて、
前記プロセッサは、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてのＲＡＣＨ  ＭＡＣヘッダを関連付けるよう構成されている
ことを特徴とする請求項９に記載のＷＴＲＵ。
【請求項１１】
前記プロセッサは、データオクテットで構成されるデータユニットにおいて、前記ＦＡＣＨおよび前記ＲＡＣＨについての論理チャネルデータを処理するよう構成され、
前記プロセッサは、前記ＦＡＣＨについてのＦＡＣＨ  ＭＡＣヘッダおよび論理チャネルを含むデータの各転送ブロックが、有限数の転送ブロック（ＴＢ）ビットサイズ（転送ブロックビットサイズは、３モジュロ８ビットに等しいサイズのそれぞれである）を有すように、データの転送ブロックとして、前記ＭＡＣ層から前記物理層への前記ＦＡＣＨについて、論理チャネルデータを処理するよう構成され、
前記プロセッサは、前記ＲＡＣＨについてのＲＡＣＨ  ＭＡＣヘッダおよび論理チャネルデータを含むデータの各転送ブロックが、有限数の転送ブロック（ＴＢ）ビットサイズ（転送ブロックビットサイズは、２モジュロ８ビットに等しいサイズのそれぞれである）を有すように、データの転送ブロックとして、前記ＭＡＣ層から前記物理層への前記ＲＡＣＨについて、論理チャネルデータを提供するよう構成される
ことを特徴とする請求項９に記載のＷＴＲＵ。
【請求項１２】
前記プロセッサは、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ
についてのＦＡＣＨ  ＭＡＣヘッダを関連付けるよう構成されていて、
前記プロセッサは、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてのＲＡＣＨ  ＭＡＣヘッダを関連付けるよう構成されている
ことを特徴とする請求項１１に記載のＷＴＲＵ。
【請求項１３】
媒体アクセス制御（ＭＡＣ）層が複数のトランスポートチャネル経由で物理層にデータを通信するように構成された前記物理層および前記ＭＡＣ層を有する無線送受信ユニット（ＷＴＲＵ）を提供するステップであって、１つの転送チャネルは、
専用トラフィックチャネル（ＤＴＣＨ）および専用制御チャネル（ＤＣＣＨ）のうちの少なくとも１つと、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）、および共通トラフィックチャネル（ＣＴＣＨ）のうちの少なくとも１つと
を含む１セットの論理チャネルと関連づけられた時分割複信（ＴＤＤ）順方向アクセスチャネル（ＦＡＣＨ）であり、
別の転送チャネルが、
専用トラフィックチャネル（ＤＴＣＨ）および専用制御チャネル（ＤＣＣＨ）のうちの少なくとも１つと、
共用チャネル制御チャネル（ＳＨＣＣＨ）および共通制御チャネル（ＣＣＣＨ）のうちの少なくとも１つと
を含む１セットの論理チャネルに関連づけられたＴＤＤランダムアクセスチャネル（ＲＡＣＨ）である提供するステップと、
Ｎ（Ｎは３より大きい選択された整数）によって均等に分割可能なビットサイズを有するデータユニットにおいて、前記ＦＡＣＨおよび前記ＲＡＣＨについての論理チャネルデータを処理するステップと、
前記ＦＡＣＨに関連付けられた前記１セットの論理チャネル内の論理チャネルを使用するとき、該論理チャネルで選択されたビットサイズを有するＦＡＣＨ  ＭＡＣヘッダを処理するステップであって、ＦＡＣＨ  ＭＡＣヘッダビットサイズが、ＭｆモジュロＮ（Ｍｆは０より大きくＮ未満の整数である）に等しい処理するステップと
前記ＲＡＣＨに関連付けられた前記１セットの論理チャネル内の論理チャネルを使用するとき、該論理チャネルで選択されたビットサイズを有するＲＡＣＨ  ＭＡＣヘッダを処理するステップであって、ＲＡＣＨ  ＭＡＣヘッダビットサイズが、ＭｒモジュロＮ（Ｍrは０より大きくＮ未満の整数である）に等しい処理するステップと
前記ＦＡＣＨについてのＦＡＣＨ  ＭＡＣヘッダおよび論理チャネルを含むデータの各転送ブロックが、有限数の転送ブロック（ＴＢ）ビットサイズ（転送ブロックビットサイズはモジュロＮの大きさと等しい）を有すように、データの転送ブロックとして、前記ＭＡＣ層および前記物理層の間の前記ＦＡＣＨについて、論理チャネルデータを処理するステップと、
前記ＲＡＣＨについてのＲＡＣＨ  ＭＡＣヘッダおよび論理チャネルを含むデータの各転送ブロックが、有限数の転送ブロック（ＴＢ）ビットサイズ（転送ブロックビットサイズはモジュロＮの大きさと等しい）を有すように、データの転送ブロックとして、前記ＭＡＣ層および前記物理層の間の前記ＲＡＣＨについて、論理チャネルデータを処理するステップと
を含むことを特徴とするＣＤＭＡ通信システムのための方法。
【請求項１４】
前記ＦＡＣＨおよび前記ＲＡＣＨに関連付けられた論理チャネルでそれぞれのＭＡＣヘッダを処理するステップは、各ＭＡＣヘッダのそれぞれにおいて、論理チャネルデータに関連付けられた前記選択された論理チャネルの前記タイプを特定するデータについてのターゲットチャネルタイプフィール（ＴＣＴＦ）を提供するステップを含むことを特徴とする請求項１３に記載の方法。
【請求項１５】
５ビットのＴＣＴＦビットサイズを有するＦＡＣＨ  ＭＡＣヘッダは、前記専用トラフィックチャネル（ＤＴＣＨ）および前記専用制御チャネル（ＤＣＣＨ）のＦＡＣＨ  ＭＡＣヘッダに使用され、
３ビットのＴＣＴＦビットサイズを有するＦＡＣＨ  ＭＡＣヘッダは、前記共用チャネル制御チャネル（ＳＨＣＣＨ）、前記共通制御チャネル（ＣＣＣＨ）、および共通トラフィックチャネル（ＣＴＣＨ）のＦＡＣＨ  ＭＡＣヘッダに使用され
４ビットのＴＣＴＦビットサイズを有するＲＡＣＨ  ＭＡＣヘッダは、前記専用トラフィックチャネル（ＤＴＣＨ）および前記専用制御チャネル（ＤＣＣＨ）のＲＡＣＨ  ＭＡＣヘッダに使用され、
２ビットのＴＣＴＦビットサイズを有するＲＡＣＨ  ＭＡＣヘッダは、前記共用チャネル制御チャネル（ＳＨＣＣＨ）および前記共通制御チャネル（ＣＣＣＨ）のＲＡＣＨ  ＭＡＣヘッダに使用される
ことを特徴とする請求項１４に記載の方法。
【請求項１６】
ＦＡＣＨ  ＭＡＣヘッダは、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ
についてであり、
ＲＡＣＨ  ＭＡＣヘッダは、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてであることを特徴とする請求項１５に記載の方法。
【請求項１７】
３モジュロＮビットのビットサイズを有するＦＡＣＨ  ＭＡＣヘッダは、前記ＦＡＣＨに関連付けられた各論理チャネルで使用され、２モジュロＮビットのビットサイズを有するＲＡＣＨ  ＭＡＣヘッダは、前記ＲＡＣＨに関連付けられた各論理チャネルで使用されることを特徴とする請求項１６に記載の方法。
【請求項１８】
前記ＦＡＣＨおよび前記ＲＡＣＨについての論理チャネルデータは、データオクテットで構成されたデータユニットの形において処理され、Ｎは８に等しいことを特徴とする請求項１７に記載の方法。
【請求項１９】
前記ＦＡＣＨおよび前記ＲＡＣＨについての論理チャネルデータは、データオクテットで構成されたデータユニットの形において処理され、Ｎは８に等しいことを特徴とする請求項１３に記載の方法。
【請求項２０】
ＦＡＣＨ  ＭＡＣヘッダは、前記ＦＡＣＨに関連付けられた各論理チャネルで使用される３モジュロＮビットのビットサイズを有し、ＲＡＣＨ  ＭＡＣヘッダは、前記ＲＡＣＨに関連付けられた各論理チャネルで使用される２モジュロＮビットのビットサイズを有することを特徴とする請求項１９に記載の方法。
【請求項２１】
複数のトランスポートチャネル経由で物理層にデータを提供するＭＡＣ層で、前記物理層および前記ＭＡＣ層を有する無線送受信ユニット（ＷＴＲＵ）を提供するステップであって、１つの転送チャネルは、
専用トラフィックチャネル（ＤＴＣＨ）および専用制御チャネル（ＤＣＣＨ）のうちの少なくとも１つと、
専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）、および共通トラフィックチャネル（ＣＴＣＨ）のうちの少なくとも１つと
を含む１セットの論理チャネルと関連づけられた時分割複信（ＴＤＤ）順方向アクセスチャネル（ＦＡＣＨ）であり、
別の転送チャネルが、
専用トラフィックチャネル（ＤＴＣＨ）および専用制御チャネル（ＤＣＣＨ）のうちの少なくとも１つと、
共用チャネル制御チャネル（ＳＨＣＣＨ）および共通制御チャネル（ＣＣＣＨ）のうちの少なくとも１つと
を含む１セットの論理チャネルに関連づけられたＴＤＤランダムアクセスチャネル（ＲＡＣＨ）である提供するステップと、
前記ＦＡＣＨに関連付けられた前記１セットの論理チャネル内の論理チャネルを使用するとき、該論理チャネルで選択されたビットサイズを有するＦＡＣＨ  ＭＡＣヘッダを関連づけるステップであって、前記専用トラフィックチャネル（ＤＴＣＨ）および前記専用制御チャネル（ＤＣＣＨ）についての前記ＦＡＣＨ  ＭＡＣヘッダＴＣＦＴが５ビットのビットサイズを有し、前記共用チャネル制御チャネル（ＳＨＣＣＨ）、前記共通制御チャネル（ＣＣＣＨ）、および前記共通トラフィックチャネル（ＣＴＣＨ）についてのＦＡＣＨ  ＭＡＣヘッダＴＣＦＴが３ビットのＴＣＴＦビットサイズを有するように、前記ＦＡＣＨ  ＭＡＣヘッダは、前記論理チャネルデータに関連付けられた前記選択された論理チャネルの形を特定するデータについてのターゲットチャネルタイプフィールド（ＴＣＴＦ）を有する関連付けるステップと、
前記ＲＡＣＨに関連付けられた前記１セットの論理チャネル内の論理チャネルを使用するとき、該論理チャネルで選択されたビットサイズを有するＲＡＣＨ  ＭＡＣヘッダを関連づけるステップであって、前記専用トラフィックチャネル（ＤＴＣＨ）および前記専用制御チャネル（ＤＣＣＨ）についての前記ＲＡＣＨ  ＭＡＣヘッダＴＣＦＴが４ビットのビットサイズを有し、前記共用チャネル制御チャネル（ＳＨＣＣＨ）、前記共通制御チャネル（ＣＣＣＨ）、および前記共通トラフィックチャネル（ＣＴＣＨ）についてのＲＡＣＨ  ＭＡＣヘッダＴＣＦＴが２ビットのＴＣＴＦビットサイズを有するように、前記ＲＡＣＨ  ＭＡＣヘッダは、前記論理チャネルデータに関連付けられた前記選択された論理チャネルの形を特定するデータについてのターゲットチャネルタイプフィールド（ＴＣＴＦ）を有する関連付けるステップと
を含むことを特徴とするＣＤＭＡ通信システムのための方法。
【請求項２２】
ＦＡＣＨ  ＭＡＣヘッダは、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ
についてであり、
ＲＡＣＨ  ＭＡＣヘッダは、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてであることを特徴とする請求項２１に記載の方法。
【請求項２３】
前記ＦＡＣＨおよび前記ＲＡＣＨについての論理チャネルデータは、データオクテットで構成されるデータユニットにおいて処理され、
前記ＦＡＣＨについてのＦＡＣＨ  ＭＡＣヘッダおよび論理チャネルを含むデータの各転送ブロックが、有限数の転送ブロック（ＴＢ）ビットサイズ（転送ブロックビットサイズは、３モジュロ８ビットに等しいサイズのそれぞれである）を有すように、前記ＦＡＣＨについての論理チャネルデータは、データの転送ブロックとして、前記ＭＡＣ層から前記物理層へ提供され、
前記ＲＡＣＨについてのＲＡＣＨ  ＭＡＣヘッダおよび論理チャネルデータを含むデータの各転送ブロックが、有限数の転送ブロック（ＴＢ）ビットサイズ（転送ブロックビットサイズは、２モジュロ８ビットに等しいサイズのそれぞれである）を有すように、前記ＲＡＣＨについての論理チャネルデータは、データの転送ブロックとして、前記ＭＡＣ層から前記物理層へ提供される
ことを特徴とする請求項２１に記載の方法。
【請求項２４】
ＦＡＣＨ  ＭＡＣヘッダは、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ
についてであり、
ＲＡＣＨ  ＭＡＣヘッダは、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてであることを特徴とする請求項２３に記載の方法。
【請求項２５】
媒体アクセス制御（ＭＡＣ）層が複数のトランスポートチャネル経由で物理層にデータを通信するように、前記物理層および前記ＭＡＣ層においてデータを処理するよう構成されたプロセッサであって、１本の転送チャネルが、専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）、および共通トラフィックチャネル（ＣＴＣＨ）を含む１セットの論理チャネルと関連づけられた時分割複信（ＴＤＤ）順方向アクセスチャネル（ＦＡＣＨ）であり、別の転送チャネルが、専用トラフィックチャネル（ＤＴＣＨ）、専用制御チャネル（ＤＣＣＨ）、共用チャネル制御チャネル（ＳＨＣＣＨ）、および共通制御チャネル（ＣＣＣＨ）を含む１セットの論理チャネルに関連づけられたＴＤＤランダムアクセスチャネル（ＲＡＣＨ）であるプロセッサと、
ＦＡＣＨおよびＲＡＣＨ論理チャネルのそれぞれでＭＡＣヘッダを処理するよう構成された前記プロセッサであって、各ＭＡＣヘッダは、ターゲットチャネルタイプフィールド（ＴＣＴＦ）を有する前記プロセッサと、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、
ビット010でコーディングされたＴＣＴＦを有する前記ＦＡＣＨ  ＣＴＣＨ、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてＭＡＣヘッダを処理するよう構成された前記プロセッサと
を含むことを特徴とするＣＤＭＡ通信システムのための無線送受信ユニット（ＷＴＲＵ）。
【請求項２６】
前記プロセッサは、前記ＭＡＣ層から前記物理層へデータを提供するために、ＭＡＣヘッダをＦＡＣＨおよびＲＡＣＨのそれぞれに関連付けることにより、前記データを処理するよう構成されていることを特徴とする請求項２５に記載のＷＴＲＵ。
【請求項２７】
媒体アクセス制御（ＭＡＣ）層が複数のトランスポートチャネル経由で物理層にデータを通信するように、前記物理層および前記ＭＡＣ層においてデータを処理するよう構成されたプロセッサであって、１本の転送チャネルが、専用トラフィックチャネル（ＤＴＣＨ）、専用制御チャネル（ＤＣＣＨ）、共用チャネル制御チャネル（ＳＨＣＣＨ）、共通制御チャネル（ＣＣＣＨ）、および共通トラフィックチャネル（ＣＴＣＨ）を含む１セットの論理チャネルと関連づけられた時分割複信（ＴＤＤ）順方向アクセスチャネル（ＦＡＣＨ）であるプロセッサと、
ＦＡＣＨ論理チャネルでＭＡＣヘッダを処理するよう構成された前記プロセッサであって、各ＭＡＣヘッダがターゲットチャネルタイプフィールド（ＴＣＴＦ）を有する前記プロセッサと、
ビット01100でコーディングされたＴＣＴＦを有する前記ＦＡＣＨ  ＤＴＣＨ、
ビット01100でコーディングされたＴＣＴＦを有する前記ＦＡＣＨ  ＤＣＣＨ、
ビット100でコーディングされたＴＣＴＦを有する前記ＦＡＣＨ  ＳＨＣＣＨ、
ビット001でコーディングされたＴＣＴＦを有する前記ＦＡＣＨ  ＣＣＣＨ、および
ビット010でコーディングされたＴＣＴＦを有する前記ＦＡＣＨ  ＣＴＣＨ、
についてＭＡＣヘッダを処理するよう構成された前記プロセッサと
を含むことを特徴とするＣＤＭＡ通信システムのための無線送受信ユニット（ＷＴＲＵ）。
【請求項２８】
前記ＭＡＣ層から前記物理層へデータを提供するために、前記プロセッサは、ＭＡＣヘッダをＦＡＣＨ論理チャネルに関連付けることによって、転送のためのデータを処理するよう構成されていることを特徴とする請求項２７に記載のＷＴＲＵ。
【請求項２９】
前記ＭＡＣ層が複数のトランスポートチャネル経由で物理層にデータを通信するように、前記物理層および前記ＭＡＣ層においてデータを処理するよう構成されたプロセッサであって、１本の転送チャネルが、専用トラフィックチャネル（ＤＴＣＨ）、専用制御チャネル（ＤＣＣＨ）、共用チャネル制御チャネル（ＳＨＣＣＨ）、および共通制御チャネル（ＣＣＣＨ）、を含む１セットの論理チャネルと関連づけられた時分割複信（ＴＤＤ）ランダムアクセスチャネル（ＲＡＣＨ）であるプロセッサと、
前記ＲＡＣＨ論理チャネルでＭＡＣヘッダを処理するよう構成された前記プロセッサであって、各ＭＡＣヘッダがターゲットチャネルタイプフィールド（ＴＣＴＦ）を有する前記プロセッサと、
ビット0100でコーディングされたＴＣＴＦを有する前記ＲＡＣＨ  ＤＴＣＨ、
ビット0100でコーディングされたＴＣＴＦを有する前記ＲＡＣＨ  ＤＣＣＨ、
ビット10でコーディングされたＴＣＴＦを有する前記ＲＡＣＨ  ＳＨＣＣＨ、および
ビット00でコーディングされたＴＣＴＦを有する前記ＲＡＣＨ  ＣＣＣＨ
についてＭＡＣヘッダを処理するよう構成された前記プロセッサと
を含むことを特徴とするＣＤＭＡ通信システムのための無線送受信ユニット（ＷＴＲＵ）。
【請求項３０】
前記ＭＡＣ層から前記物理層へデータを提供するために、前記プロセッサは、ＭＡＣヘッダをＲＡＣＨ論理チャネルに関連付けることによって、転送のためのデータを処理するよう構成されていることを特徴とする請求項２９に記載のＷＴＲＵ。